(57)【特許請求の範囲】
【請求項１】
搬送速度を可変速制御するモーター制御部と、
糊付けを行う壁紙の長さや糊付け速度などの設定を行う表示操作部と、
作動条件や作業実績などを記憶する記憶部と、
搬送される壁紙の長さに比例した信号を発生する検尺手段の出力信号を計数する主演算部からなる制御部を有する自動壁紙糊付機であって、
前記記憶部は、前記表示操作部に設定された糊付け実行時搬送速度指令値と、
壁紙の先端誘導を行う時の先端誘導時速度指令値と、
前記２つの速度指令値を切り替える為に、搬送される壁紙の検尺値が到達する長さを第一の長さ、第二の長さという予め設定されるパラメータとして記憶し、
前記主演算部は、糊付け実行時に前記モーター制御部へ速度指令値を指示し、搬送される壁紙の長さを検尺する為の前記検尺手段からの信号を計数検尺し、検尺した前記検尺値が前記パラメータの第一の長さに達した場合に、前記モーター制御部に先端誘導時速度指令値を指示して、壁紙の先端初期誘導に適した搬送速度に切り替え、
前記検尺値が前記パラメータの第二の長さに達した場合に、前記モーター制御部への速度指令値を糊付け実行時搬送速度指令値に戻すことを特徴とする自動壁紙糊付機。
【請求項２】
搬送速度を可変速制御するモーター制御部と、
糊付けを行う壁紙の長さや糊付け速度などの設定を行う表示操作部と、
作動条件や作業実績などを記憶する記憶部と、
搬送される壁紙の長さに比例した信号を発生する検尺手段の出力信号を計数する主演算部からなる制御部を有する自動壁紙糊付機であって、
前記記憶部は、前記表示操作部に設定された糊付け実行時搬送速度指令値と、
壁紙の先端誘導を行う時の先端誘導時速度指令値と、
前記主演算部は、搬送した壁紙の先端部を検知する第一の光電センサと第二の光電センサのうち、
前記壁紙の先端部が、前記第一の光電センサで検出した場合に、前記モーター制御部に先端誘導時速度指令値を指示して、
壁紙の先端初期誘導に適した搬送速度に切り替え、
前記壁紙の先端部が、前記第二の光電センサで検出した場合に、
前記モーター制御部に糊付け実行時搬送速度指令値に戻すことを特徴とする自動壁紙糊付機。
【請求項３】
糊付け実行速度が先端誘導時速度よりも遅い速度の場合には、搬送速度の切り替えを行わないことを特徴とする請求項１または請求項２に記載の自動壁紙糊付機。
【請求項４】
作業者が操作する寸動スイッチの動作で発生する搬送速度と加速度を記憶し、
寸動スイッチを押すと搬送速度を所定の加速度で加速させ、
寸動スイッチを押している時間が加速に要する時間よりも短かった場合は、設定されている速度に到達させないまま停止させることを特徴とする請求項１から請求項３のいずれかに記載の自動壁紙糊付機。
【発明の詳細な説明】
【技術分野】
【０００１】
自動壁紙糊付機から排出される壁紙の長さが壁紙先端の初期誘導作業に適した長さに達した時に、初期誘導作業に適した搬送速度に切り替え、初期誘導作業を終える長さに達した時には作業者が設定した糊付け実行速度に戻すように制御することで、作業者の壁紙初期誘導作業を補助する自動壁紙糊付機に関する。
【背景技術】
【０００２】
従来より自動壁紙糊付機は、壁紙を搬送して裏面に糊を付ける為の複数のローラーと、糊箱、壁紙の搬送速度を制御するモーター制御部と、搬送される壁紙の長さに比例したパルスを発生する検尺手段と、糊付けを行う壁紙の長さや糊付け速度などの設定を行う為の表示操作部と、作動条件や作業実績などを記憶する記憶部と、検尺手段が出力するパルス信号を計数して、排出される壁紙の長さを算出する主演算部からなる制御部とから構成されている。この様な自動壁紙糊付機を用いて壁紙に糊を付ける場合の、壁紙の搬送速度は、作業者が表示操作部から選択設定する様になっている（以下では、「糊付け実行速度Ｖ１」と称する）。
【０００３】
近年、糊付け実行時の速度Ｖ１を速くしてほしいという要望が増えてきており、モーターの速度アップとトルクアップが図られている。搬送速度の速いものでは、最高速度が、１９ｍ／分から４０ｍ／分、近くまで設定できるものがある。
【０００４】
このような従来技術の自動壁紙糊付機で糊付けを実行し自動壁紙糊付機から排出される壁紙の変化の様子を図８に示し、搬送速度の変化のグラフを図９に示す。まず、図８（ａ）は、排出する壁紙先端がカッターガイドに位置しているところで、カッターナイフで壁紙を切断する状態を示し、続いて、作業者により糊付けスタートスイッチが押されたら、自動壁紙糊付機の制御部は、予め定められた加速度で加速して、作業者が設定している糊付け実行速度Ｖ１に到達させて、その後は等速で搬送して、設定された長さに到達する直前で、予め定められた加速度で減速して、設定された長さに達すれば停止させる。この場合の壁紙の搬送速度の変化は図９に示す。
【０００５】
また、水平に軸支されて回転する糊付ローラに壁紙を圧接して糊付けする自動糊付機において、糊付け後の壁紙先端を貼着し、自重によって降下していく折りたたみガイド片と、このガイド片の降下を案内支持するガイド糸とからなる壁紙折りたたみ用ガイドを備えている自動糊付機（特許文献１）や、壁紙の裏面に糊を塗布する自動壁紙糊付機において、糊が塗布されて排出されてくる際に、糊の塗布されない壁紙表面の先端付近に当接して、糊付機左右の脚部の間で壁紙受部材の奥側へ壁紙先端を誘導し、上記壁紙表面側が壁紙受部材に接するように案内する壁紙案内手段を有し、上記壁紙案内手段は、壁紙の糊付速度に応じて、壁紙の糊付開始から所定時間後又は所定長さ糊付後に起動して、糊付速度に応じた速度で壁紙先端を誘導し、上記壁紙表面側が壁紙受部材に接して所定の位置に置かれるように案内する自動壁紙糊付機（特許文献２）なども知られている。
【先行技術文献】
【特許文献】
【０００６】
【特許文献１】実公平８−１０１４号公報
【特許文献２】特許第４２６４４８６号公報
【発明の開示】
【発明が解決しようとする課題】
【０００７】
特許文献１の自動壁紙糊付機においては、１枚の壁紙の糊付けが終わって、次の壁紙に糊付けを行う場合に、ガイド片を糊付き壁紙の先端から外して、所定の位置に戻してから、次の壁紙の先端に貼るという作業が毎回発生するので、時間と手間がかかるという課題を有している。
【０００８】
また、特許文献２の自動壁紙糊付機においては、自動壁紙糊付機を現場から現場へ移動させる場合には、脚部の内側に配設された案内棒と案内アームを取り外して脚部を折りたたむという作業が必要であることと、装置自体の購入費用もかかるという課題を有するため、これらの理由により、特許文献１及び特許文献２に記載の自動壁紙糊付機は実用化されず普及してないため、作業者は依然として、壁紙の糊付け１枚１枚毎に、身体をかがめて先端誘導を行っている。
【０００９】
そのため、作業者のなかでも、高齢の作業者や糊付け作業に慣れていない作業者や、器用でない作業者は、「糊付け実行速度Ｖ１」を設定できる最高速に設定していては、搬送速度が速すぎて使うことができない。
【００１０】
その理由は、図８（ｂ）から図８（ｃ）のあたりで作業者は、裏面に糊が付けられて排出される壁紙の先端を両手で掴んで、壁紙の先端を自動壁紙糊付機の奥の方（内側）へ持っていって、壁紙原反の少し前あたりの床に置いて、手を放す、という作業を行う必要がある。
【００１１】
図８（ｃ）に示す様に、作業者は、前屈みになって両手で壁紙の先端を掴んで、自動壁紙糊付機の後方（原反ロールの下あたり）に導く動作をする必要がある。以下作業者が行うこの動作を先端初期誘導と称する。壁紙を床の上に直接置くのではなく専用の台を使う場合もある。
【００１２】
この様に、壁紙先端を所定の位置に初期誘導すれば、第一ターン部が形成されて、糊が付いた面同士がうまく折り重なっていき図８（ｄ）の様になる。しかし、先端初期誘導を行う時には、壁紙の搬送速度は糊付け実行速度Ｖ１に到達しているので、糊付け実行速度Ｖ１を速い速度に設定していると、作業に慣れていない作業者にとっては、壁紙の動きが速すぎて先端誘導動作がうまくできない。
【００１３】
壁紙が高速で排出されてくるので、先端を奥の方へ持っていこうとしている間に、壁紙が手前の方の床に着いてしまうからである。手前に置いてしまうと第一ターン部がうまく形成されないので、床の上に蓄積される壁紙がグジャグジャになり、糊が表面に付着したりして、壁に貼ることができないものになってしまう。
【００１４】
先端初期誘導をうまくやれば後はほうっておいてもうまくいくが、先端初期誘導を失敗すれば最後まで悪影響がでるのである。この為、先端初期誘導が苦手な作業者は、糊付け実行速度Ｖ１を最高速度に設定して使うことができない。高齢の作業者や器用でない作業者が糊付け実行時速度Ｖ１を速く設定できる自動壁紙糊付機を使っても、最高速度では使えないので糊付け作業時間の短縮にはならない。
【００１５】
次の理由は、また、表面に繰り返しパターン図柄のある壁紙の繰り返しパターン図柄の先頭をカッターガイドの位置まで移動させる時には、「寸動」（インチング）という微少送りを行う必要がある。この微少送りをさせる為に、自動壁紙糊付機には、「寸動スイッチ」（実際の製品では「インチングスイッチ」などと称されている）が設けられている。
【００１６】
この「寸動スイッチ」は、押されている間だけ、予め定めた速度で壁紙を搬送させるものである。「寸動スイッチ」が押された時に搬送速度は、糊付け実行時速度Ｖ１とは異なる速度に設定できる様になっている。「寸動スイッチ」を押している時間の幅を短くすることによって、微動量を調節する様になっている。
【００１７】
作業者は繰り返しパターン図柄の先頭を目でみながら、「寸動スイッチ」を数回に分けて押して、図柄の先頭をカッターガイドの位置まで移動させるのであるが、設定されている速度が速すぎたり、また、比較的ゆっくりした速度でも、糊の粘度や壁紙の材質の違いにより壁紙の移動度合いが異なるので、ちょうどよい位置を通りすぎてしまう場合がある。この場合は、次の繰り返しパターン図柄の先頭まで送り直さなければならないので、壁紙を無駄遣いすることになる。
【課題を解決するための手段】
【００１８】
上記課題を解決するために、本発明の請求項１は、搬送速度を可変速制御するモーター制御部と、糊付けを行う壁紙の長さや糊付け速度などの設定を行う表示操作部と、作動条件や作業実績などを記憶する記憶部と、搬送される壁紙の長さに比例した信号を発生する検尺手段の出力信号を計数する主演算部からなる制御部を有する自動壁紙糊付機であって、前記記憶部は、前記表示操作部に設定された糊付け実行時搬送速度指令値と、壁紙の先端誘導を行う時の先端誘導時速度指令値と、前記２つの速度指令値を切り替える為に、搬送される壁紙の検尺値が到達する長さを第一の長さ、第二の長さという予め設定されるパラメータとして記憶し、前記主演算部は、糊付け実行時に前記モーター制御部へ速度指令値を指示し、搬送される壁紙の長さを検尺する為の前記検尺手段からの信号を計数検尺し、検尺した前記検尺値が前記パラメータの第一の長さに達した場合に、前記モーター制御部に先端誘導時速度指令値を指示して、壁紙の先端初期誘導に適した搬送速度に切り替え、前記検尺値が前記パラメータの第二の長さに達した場合に、前記モーター制御部への速度指令値を糊付け実行時搬送速度指令値に戻すことを特徴とする。
【００１９】
本発明の請求項２は、搬送速度を可変速制御するモーター制御部と、糊付けを行う壁紙の長さや糊付け速度などの設定を行う表示操作部と、作動条件や作業実績などを記憶する記憶部と、搬送される壁紙の長さに比例した信号を発生する検尺手段の出力信号を計数する主演算部からなる制御部を有する自動壁紙糊付機であって、前記記憶部は、前記表示操作部に設定された糊付け実行時搬送速度指令値と、壁紙の先端誘導を行う時の先端誘導時速度指令値と、前記主演算部は、搬送した壁紙の先端部を検知する第一の光電センサと第二の光電センサのうち、前記壁紙の先端部が、前記第一の光電センサで検出した場合に、前記モーター制御部に先端誘導時速度指令値を指示して、壁紙の先端初期誘導に適した搬送速度に切り替え、前記壁紙の先端部が、前記第二の光電センサで検出した場合に、前記モーター制御部に糊付け実行時搬送速度指令値に戻すことを特徴とする。
【００２０】
本発明の請求項３は、糊付け実行速度が先端誘導時速度よりも遅い速度の場合には、搬送速度の切り替えを行わないことを特徴とする。
【００２１】
本発明の請求項４は、作業者が操作する寸動スイッチの動作で発生する搬送速度と加速度を記憶し、寸動スイッチを押すと搬送速度を所定の加速度で加速させ、寸動スイッチを押している時間が加速に要する時間よりも短かった場合は、設定されている速度に到達させないまま停止させることを特徴とする。
【発明の効果】
【００２２】
作業者が、「糊付け実行速度Ｖ１」を、初期誘導作業をできないくらい速い速度に設定している場合でも、自動壁紙糊付機の制御部は、排出される壁紙の長さが、初期誘導作業を行う長さに適した長さに到達した時に、搬送速度を初期誘導作業がうまくできる速度である「先端誘導時速度Ｖ２」に切り替えるので、作業者は壁紙が搬送されてくる速度に合わせて、先端を糊付機の奥の方へ導くことができる（時間的余裕が生じる）。
【００２３】
そのため、高齢の作業者や器用ではない作業者でも落ち着いて確実な初期誘導ができる。そして、作業者が初期誘導作業を終える長さに達した時には（第一ターンが形成される長さに達した時には）、作業者が設定した「糊付け実行速度Ｖ１」に戻すので、初期誘導が苦手な作業者でも「糊付け実行速度Ｖ１」を最高速度に設定して使うことができるので、糊付け作業効率が損なわれることはない。また、初期誘導作業に失敗して壁紙の損失を発生させることはない。
【００２４】
また、「寸動スイッチ」を極めて短時間だけ押すという操作がうまくできなくてて少し長い時間になった場合でも、極めてゆっくりな搬送速度が得られるので、繰り返し図柄の先頭がカッターガイドを行き過ぎることはないので、壁紙の損失を発生させることはなく正確に位置合わせができる。
【図面の簡単な説明】
【００２５】
【図１】本発明の自動壁紙糊付機の側面図
【図２】本発明の自動壁紙糊付機のブロック図
【図３】本発明の処理フローチャート
【図４】本発明の糊付け時の搬送速度変化説明図
【図５】本発明の寸動送り時の搬送速度変化説明図
【図６】光電センサを使用する実施例の自動壁紙糊付機の側面図
【図７】光電センサを使用する実施例のブロック図
【図８】自動壁紙糊付機から排出される壁紙の長さの変化の説明図
【図９】従来技術の糊付け時の搬送速度変化説明図
【発明を実施するための最良の形態】
【００２６】
以下本発明の実施の形態について図面を参照して説明する。図１は本発明の自動壁紙糊付機の側面図、図２はブロック図、図３は処理のフローチャート、図４は糊付け実行時の搬送速度の変化の説明図である。
【００２７】
本発明の自動壁紙糊付機は、図２に示すように、壁紙Ａの搬送速度を可変速制御するモーター制御部（１２）、搬送される壁紙Ａの長さに比例したパルスを発生する検尺手段（１３）、糊付けを行う壁紙Ａの長さや糊付け速度などの設定を行う為の表示操作部（１０）、作動条件や作業実績などを記憶する記憶部（９）、主にマイコンからなり、検尺手段（１３）が出力するパルス信号を計数して、排出される壁紙Ａの長さを算出する主演算部（１１）からなる制御部（８）と、壁紙Ａを搬送して裏面に糊を付ける為の複数のローラーを回転させるモータ（Ｍ）と、糊箱（２）と、壁紙Ａの幅方向を裁断するスリッター（６）を有し、作業者が表示操作部（１０）から任意に選択設定した「糊付け実行速度Ｖ１」で壁紙Ａを搬送して糊付けを実行する自動壁紙糊付機である。
【００２８】
図３、図４において、Ｖ１は糊付け実行速度、Ｖ２は壁紙先端を初期誘導する時の先端誘導時速度、Ｌ１は搬送速度を先端誘導速度に切り換えするまで壁紙長、Ｌ２は壁紙の先端が原反ロール側の奥部に誘導されるまでの壁紙長である。
【００２９】
本実施の形態では、表示操作部（１０）は２ｍ／分から１９ｍ／分までの範囲の「糊付け実行速度Ｖ１」を有し、この範囲を１４分割した多段速搬送速度を、作業者が選択設定できる様にしている。また、作業者が壁紙の先端を初期誘導する時の速度「先端誘導時速度Ｖ２」を例えば１４ｍ／分と定めて記憶部（９）に格納している。
【００３０】
また、搬送速度を「先端誘導時速度Ｖ２」に切り替える為の「第一の長さＬ１」を６０ｃｍとしている。またカッターガイド（１）から床までの距離は６１ｃｍである。「第一の長さＬ１」の長さは、おおよそ、カッターガイド（１）から床までの距離ぐらいが望ましい。
【００３１】
また、「糊付け実行速度Ｖ１」に戻す為の「第二の長さＬ２」を８０ｃｍとして、記憶部（９）に格納している。「第二の長さＬ２」は図１に二点鎖線で示すように、壁紙の先端が作業者から見て後方の本体フレームに導かれる。
【００３２】
図３のフローチャートを用いて本発明の自動壁紙糊付機の糊付け実行動作を説明する。
【００３３】
処理ＳＴＰ１においては、作業者は壁紙をカッターガイドのところで切断して先端をきれいに作り、表示操作部（１０）のキースイッチから糊を付ける壁紙の長さと、「糊付け実行速度Ｖ１」を設定する。
【００３４】
この時、自動壁紙糊付機から排出された壁紙は、図８（ａ）の状態にある。作業者により、スタートスイッチ（図示せず）が押されると、制御部（８）は作業者が設定した「糊付け実行速度Ｖ１」が「先端誘導時速度Ｖ２」よりも速い速度であるかどうかを判定し、遅い速度であれば処理ＳＴＰ６を実行する（速度の切替を行なう処理は実行しない）。以下では、作業者が設定した「糊付け実行速度Ｖ１」が１９ｍ／分であるとして説明する。
【００３５】
処理ＳＴＰ２において、制御部（８）は、搬送速度を予め定めた加速度で加速させて、作業者が設定した「糊付け実行速度Ｖ１」に到達させる。
【００３６】
処理ＳＴＰ３と処理ＳＴＰ４において、制御部（８）は検尺手段（１３）が検尺する壁紙の長さ「現在検尺値」と、記憶部（９）に格納している「第一の長さＬ１」を比較する。
【００３７】
制御部（８）は、「現在検尺値」が「第一の長さＬ１」に到達すれば、搬送速度を、予め定めた加速度で、「先端誘導時速度Ｖ２」に切り替える。この時、自動壁紙糊付機から排出された壁紙は図８（ｃ）の状態にあり、作業者は裏面に糊が付けられて排出される壁紙の先端を手で掴んで、奥の方（内側）へ持っていき、壁紙原反の少し前あたりの床の上に置いて手を放す。
【００３８】
この時、壁紙の搬送速度は１４ｍ／分まで減速しているので、動作が俊敏でない作業者でも、排出されてくる壁紙の動きに合わせて、先端初期誘導を確実に行うことができる。
【００３９】
処理ＳＴＰ５と処理ＳＴＰ６において、制御部（８）は、「現在検尺値」が「第二の長さＬ２」に到達すれば、搬送速度を予め定めた加速度で「糊付け実行速度Ｖ１」に戻す。初期誘導がうまく行なわれた壁紙には第一ターンが形成されており、作業者が壁紙から手を放しても、糊が付いた裏面同士が自然に向き合う様に重なる。
【００４０】
処理ＳＴＰ７において、制御部（８）は排出する壁紙の長さが、設定された長さに到達する直前に、搬送速度を予め定めた加速度で減速して、「現在検尺値」が設定された糊付け長さに到達すると停止させる。
【００４１】
排出された壁紙は糊が付いた裏面同士が向き合い重なっているので、作業者がカッターガイドのところで壁紙を切ると、１枚の糊付き壁紙ができあがる。この様に、処理ＳＴＰ１から処理ＳＴＰ７まで実行した時の壁紙搬送速度の変化を図４（ａ）に示す。
【００４２】
また、本実施の形態では、「第一の長さＬ１」を表示操作部（１０）から変更できる様にしている。先端初期誘導が極めて苦手な作業者の場合は「第一の長さＬ１」を極めて短く設定すれば、制御部（８）は極めて早い段階で、搬送速度を「先端誘導時速度Ｖ２」に切り替えるので、作業者がじっくりと身構える時間が生じる。「第一の長さＬ１」は０に設定しても良い。壁紙搬送速度の変化は図４（ｂ）に示す。
【００４３】
また、「先端誘導時速度Ｖ２」を１４ｍ／分と定めているが、作業の効率を損なわない程度に遅く、例えば、 １１ｍ／分としても良い。「先端誘導時速度Ｖ２」は、１１ｍ／分から１４ｍ／分ぐらいが望ましい。
【００４４】
また、作業者が設定した「糊付け実行速度Ｖ１」が「先端誘導時速度Ｖ２」よりも遅い場合には、作業者が意図していないのに加速すれば、先端誘導動作を失敗するから、搬送速度の切り替え処理を実行しない。
【００４５】
作業者が寸動スイッチ（図示せず）を押すと、自動壁紙糊付機の制御部（８）は予め記憶部（９）に定めた所定の加速度で壁紙を加速させていく。図５に寸動スイッチ（図示せず）が押されている時間と搬送速度を示す。
【００４６】
図４は、一枚の壁紙の糊付けを実行した時の搬送速度の変化のグラフである。横軸は時間（秒）であり、縦軸は搬送速度（ｍ／分）である。グラフの線分Ｖ１とＶ２は、搬送速度を示しており、Ｖ１は、壁紙を「糊付け実行速度Ｖ１」で等速搬送している状態を示しており、Ｖ２は、壁紙を「先端誘導時速度Ｖ２」で等速搬送している状態を示している。
グラフの点Ｌ１とＬ２は、時点を示しており、Ｌ１は、搬送した壁紙の長さが「第一の長さＬ１」に達した時点を示しており、Ｌ２は、搬送した壁紙の長さが「第二の長さＬ２」に達した時点を示している。
【００４７】
また、「糊付け実行速度Ｖ１」は、作業者により、表示操作部（１０）から設定された搬送速度であり、主演算部（１１）はこれを記憶部（９）に記憶しておき、糊付け実行中のモーター制御部（１２）への速度指令値としている。
【００４８】
また、「先端誘導時速度Ｖ２」は、予め定めて記憶部（９）に記憶している速度指令値であり、主演算部（１１）は、これを先端誘導時のモーター制御部（１２）への速度指令値とする。
【００４９】
また、「第一の長さＬ１」と「第二の長さＬ２」は、予め定めて記憶部（９）に記憶している搬送した壁紙の長さ値である。
【００５０】
図４のグラフは、本発明の壁紙糊付機において、図２のブロック図に示す各機能部がＬ１とＬ２の２つの長さパラメータを用いて、Ｖ１とＶ２の２つの搬送速度指令値をモーター制御部（１２）へ切り替えて指示し、一枚の壁紙の糊付けを実行した時の搬送速度の遷移であり、グラフの原点時点では、主演算部（１１）は、記憶部（９）から読み出した「糊付け実行速度Ｖ１」を速度指令値としてモーター制御部（１２）へ指令を出し、これを受けたモーター制御部（１２）は、予め定められた所定の加速度で搬送速度を「糊付け実行速度Ｖ１」に到達させる。
【００５１】
また、主演算部（１１）は、モーター制御部（１２）へモーター起動指令を出した直後から、検尺手段（１３）からのパルス信号を計数して搬送した壁紙Ａの長さを逐次算出する。
【００５２】
搬送した壁紙Ａの長さが「第一の長さＬ１」に達した時に、モーター制御部（１２）への速度指令値を「先端誘導時速度Ｖ２」に切り替えて、更に搬送を続けて壁紙Ａの長さが「第二の長さＬ２」に達した時点で速度指令値を「糊付け実行速度Ｖ１」に切り替えて、更に壁紙Ａの長さを逐次算出しつつ糊付けを実行し、壁紙Ａの長さが、記憶部（９）に記憶している糊付け長さ設定長に到達する手前で、所定の加速度で減速して、設定長に到達した時点で搬送を停止するまでの、搬送速度の遷移である。
【００５３】
図５の一番左側の波形は、寸動スイッチが押された時間が所定の加速に要する時間より長い場合であり、この時、搬送速度を所定の加速度で加速させた後、速度Ｖ３で等速搬送を行う。速度Ｖ３は作業者が指示した速度である。右側の波形は寸動スイッチが押された時間が  所定の加速に要する時間より短い場合であり、この時、壁紙搬送速度が速度Ｖ３に到達しないまま停止させる。
【００５４】
作業者は、繰り返し図柄の先頭がカッターガイド（１）よりも３ｃｍか４ｃｍ手前に位置する時は寸動スイッチを図５の一番左側の波形のように押し、０．５ｃｍぐらいまで近づいたら図５の一番右側の波形のように押せば、繰り返し図柄の先頭がカッターガイド（１）に到達した時に搬送を停止させることができる。
【００５５】
「寸動スイッチ」を極めて短時間だけ押すのが苦手な作業者が操作した場合でも、壁紙搬送速度を極めてゆっくりしたものとすることができる。
【００５６】
２つの光電センサを用いる実施例を図６に示す。２つの光電センサを用いて、「第一の長さＬ１」と「第二の長さＬ２」を定める形態である。図７にブロック図を示す。第一のセンサ（１３）、第二のセンサ（１４）とも、レーザー光を物体に照射して、反射光の有無により物体を検知するもので、照準（検出距離）を可変設定できるものである。
【００５７】
第一のセンサ（１３）は壁紙の先端が床に着くあたりに照準が向く方向（取り付け角度）で脚部に取り付けられている。第二のセンサ（１４）は壁紙の先端が壁紙原反ロール（７）の手前の床に置かれているあたりに照準が向く方向（取り付け角度）で脚部に取り付けられている。
【００５８】
第一のセンサ（１３）の出力信号と第二のセンサ（１４）の出力信号を主演算部（１１）に入力し、第一のセンサ（１３）が壁紙を検知すれば、制御部（８）は搬送速度を「先端誘導時速度Ｖ２」に切り替え、第二のセンサ（１４）が壁紙を検知すれば、「糊付け実行速度Ｖ１」に戻す様にしている。第一のセンサ（１３）の取り付け角度をもう少し上向きにすれば、「先端誘導時速度Ｖ２」に切り替える位置が早くなる。搬送速度の変化のグラフは図４と同じである。
【符号の説明】
【００５９】
Ａ  壁紙
１  カッターガイド
２  糊箱
３  糊付ローラー
４  送り出しローラー
５  検尺ローラー
６  スリッター
７  壁紙原反ロール
８  制御部
９  記憶部
１０  表示操作部
１１  主演算部
１２  モーター制御部
１３  検尺手段
１４  第一の光電センサ
１５  第二の光電センサ
Ｌ１  第一の長さＬ１
Ｌ２  第二の長さＬ２
Ｍ  モーター
【図１】
0005904492.tif 000002
【図２】
0005904492.tif 000003
【図３】
0005904492.tif 000004
【図４】
0005904492.tif 000005
【図５】
0005904492.tif 000006
【図６】
0005904492.tif 000007
【図７】
0005904492.tif 000008
【図８】
0005904492.tif 000009
【図９】
0005904492.tif 000010